(57)【要約】【課題】箱体を構成する各パネルを固定するボルトへの負荷を軽減し得ると共に、各パネルの位置決めを容易に行ない得るようにする。【解決手段】側面をなすサイドパネル４２の下端部に、左右方向に貫通する通孔４４ａ,５６ａ,６４ａを形成すると共に、上面５２がサイドパネル４２から離間するにつれて上方に傾斜する突出部５０を形成する。また、底面をなすベースパネル１２の側端面にネジ孔２８ａを形成すると共に、ベースパネル１２の下面側の側部に、該ベースパネル１２から離間するにつれて下方に傾斜し、突出部５０の上面５２に整合する傾斜面３０ａを形成する。そして、傾斜面３０ａを突出部５０の上面５２に当接させたもとで、通孔４４ａ,５６ａ,６４ａに挿通したボルト７４をネジ孔２８ａに螺挿して、両パネル１２,４２を固定するようにした。【選択図】図６
2005230355.tif 000002
【特許請求の範囲】
【請求項１】
側面をなすサイドパネル(42,76)の下端部に形成されて左右方向に貫通する通孔(44a,56a,64a)と、底面をなすベースパネル(12)の側端面に形成したネジ孔(28a)とを備え、前記通孔(44a,56a,64a)に挿通したボルト(74)をネジ孔(28a)に螺挿することで、両パネル(12,42,76)を固定するよう構成されているキャビネット構造において、
前記サイドパネル(42,76)の下端部に形成される突出部(50,80,82)と、
前記ベースパネル(12)に形成され、前記突出部(50,80,82)に当接する当接部(30a)とを備え、
前記突出部(50,80,82)および当接部(30a)の当接面(52,80a,82a,30a)の夫々を、該突出部(50,80,82)と当接部(30a)とを当接させた際に、前記ベースパネル(12)およびサイドパネル(42,76)が相互に近接する方向に移動するよう傾斜させた
ことを特徴とするキャビネット構造。
【請求項２】
側面をなすサイドパネル(42,76)の下端部に形成されて左右方向に貫通する通孔(44a,56a,64a)と、底面をなすベースパネル(12)の側端面に形成したネジ孔(28a)とを備え、前記通孔(44a,56a,64a)に挿通したボルト(74)をネジ孔(28a)に螺挿することで、両パネル(12,42,76)を固定するよう構成されているキャビネット構造において、
前記サイドパネル(42,76)の下端部に形成され、上面(52,80a,82a)がサイドパネル(42,76)から離間するにつれて上方に傾斜する突出部(50,80,82)と、
前記ベースパネル(12)の下面側の側部に形成され、該ベースパネル(12)から離間するにつれて下方に傾斜し、前記突出部(50,80,82)に当接する当接部(30a)とを備え、
前記当接部(30a)を突出部(50,80,82)の上面(52,80a,82a)に当接させたもとで、前記ベースパネル(12)とサイドパネル(42,76)とを前記ボルト(74)を介して固定するようにした
ことを特徴とするキャビネット構造。
【請求項３】
前記サイドパネル(42,76)は、上端部に左右方向に貫通する通孔(44a,56a,64a)と、下面がサイドパネル(42,76)から離間するにつれて下方に傾斜する第２の突出部(50)とを備え、
上面をなすトップパネル(34)は、その側端面にネジ孔(28a)が形成されると共に、該トップパネル(34)の上面側の側部に、トップパネル(34)から離間するにつれて上方に傾斜して前記第２の突出部(50)に当接する第２の当接部(30a)が形成されて、
前記第２の当接部(30a)を第２の突出部(50)の下面(54)に当接させたもとで、前記サイドパネル(42,76)の上端部に形成した前記通孔(44a,56a,64a)に挿通したボルト(74)を、前記トップパネル(34)に形成したネジ孔(28a)に螺挿することで、両パネル(34,42,76)を固定するようにした請求項２記載のキャビネット構造。
【請求項４】
天井面に吊下げるよう構成されている請求項１〜３の何れかに記載のキャビネット構造。
【発明の詳細な説明】
【技術分野】
【０００１】
本発明は、底面をなすベースパネルや上面をなすトップパネルと、側面をなすサイドパネルとを、ボルトを介して組付けるようにしたキャビネット構造に関するものである。
【背景技術】
【０００２】
従来より喫茶店やレストラン等では、底面をなすベースパネルと、上面をなすトップパネルと、側面をなすサイドパネルと、背面をなすリアパネルとから前方に開口するよう構成された収納棚(箱体)を配置し、該収納棚に各種食器類や調理器具等を収容している。なお前記収納棚の形態としては、床面載置型や天井吊下げ型が一般的である。このような収納棚は、前記ベースパネルおよびトップパネルの左右両側端面に雌ねじ孔を形成すると共に、前記サイドパネルの上下の端部に、該雌ねじ孔と左右方向に整列する通孔を設け、雌ねじ孔と通孔とを整列したもとで、該サイドパネルの側方から通孔に挿通したボルトを雌ねじ孔に螺挿して組付け固定するようになっている。なお、前記リアパネルは、前記ベースパネル、トップパネルおよびサイドパネルの夫々の後端部に、ボルトまたは溶接等により固定される。また、特許文献１に開示されるように、前記ベースパネルの左右両側端部に、前記サイドパネル側に向けて延出する板状の延出部を形成し、該延出部にサイドパネルの下端面を載置することで、前記通孔と雌ねじ孔とを容易に整列させ得るようにした技術も提案されている。
【特許文献１】特開平９−１７８３３７号公報
【発明の開示】
【発明が解決しようとする課題】
【０００３】
ところで、前記天井吊下げ型の収納棚では、前記ベースパネル上に食器類や調理器具等を載置した場合に、これら食器類等の重量は全てベースパネルとサイドパネルとを固定するボルトに掛かることから、該ボルトの伸びや折れ曲がりといった変形を招く畏れがあり、この場合にはボルトの取外しが困難となる欠点を内在している。また、前記サイドパネルの通孔と、ベースパネルの雌ネジ孔とを整列させるため、一般には通孔を雌ネジ孔より大きく形成している。このため、サイドパネルの下端面とベースパネルの下面とを正確に整合させた状態で両パネルを固定するのは困難で、両パネル間に段差が生ずる問題もある。更に、両パネルの下面を正確に整合した状態で固定したとしても、ベースパネル上に載置した食器類等の重量により、ボルトが通孔の輪郭に当接する範囲で該ベースパネルの位置が下がってしまい、両パネルの間に段差が生じて、見栄えが悪くなる欠点がある。
【０００４】
また、前記特許文献１のように、サイドパネルをベースパネルに形成した延出部に載置するようにすれば、前記通孔と雌ネジ孔とを比較的、正確に整列させることは可能である。しかしながら、前記延出部にサイドパネルを載置するため、ベースパネルとサイドパネルとの間に段差ができ、前述と同様の問題が生ずる欠点を有している。また、前記サイドパネルは、単に板状の延出部に載置されているだけなので、該延出部に反りが生じた場合等には、ボルトの伸びや折れ曲がりといった変形を招来することにもなる。
そこで、本発明は、箱体を構成する各パネルを固定するボルトへの負荷を軽減し得ると共に、各パネルの位置決めを容易に行ない得るキャビネット構造を提供することを目的とする。
【課題を解決するための手段】
【０００５】
前記課題を克服し、所期の目的を達成するため、本発明に係るキャビネット構造は、
側面をなすサイドパネルの下端部に形成されて左右方向に貫通する通孔と、底面をなすベースパネルの側端面に形成したネジ孔とを備え、前記通孔に挿通したボルトをネジ孔に螺挿することで、両パネルを固定するよう構成されているキャビネット構造において、
前記サイドパネルの下端部に形成される突出部と、
前記ベースパネルに形成され、前記突出部に当接する当接部とを備え、
前記突出部および当接部の当接面の夫々を、該突出部と当接部とを当接させた際に、前記ベースパネルおよびサイドパネルが相互に近接する方向に移動するよう傾斜させたことを特徴とする。
【０００６】
前記課題を克服し、所期の目的を達成するため、本願の別の発明に係るキャビネット構造は、
側面をなすサイドパネルの下端部に形成されて左右方向に貫通する通孔と、底面をなすベースパネルの側端面に形成したネジ孔とを備え、該通孔に挿通したボルトをネジ孔に螺挿することで、両パネルを固定するよう構成されているキャビネット構造において、
前記サイドパネルの下端部に形成され、上面がサイドパネルから離間するにつれて上方に傾斜する突出部と、
前記ベースパネルの下面側の側部に形成され、該ベースパネルから離間するにつれて下方に傾斜し、前記突出部に整合する当接部とを備え、
前記当接部を突出部に当接させたもとで、前記ベースパネルとサイドパネルとを前記ボルトを介して固定するようにしたことを特徴とする。
【発明の効果】
【０００７】
本発明に係るキャビネット構造によれば、サイドパネルに形成した突出部およびベースパネルに形成した当接部の夫々を、該ベースパネルおよびサイドパネルが相互に近接する方向に移動するよう傾斜させてあるから、ボルトに過度の負荷が掛かるのは防止され、該ボルトが変形することはない。更に、ボルトの締付けが不足する場合であってもベースパネルがサイドパネルに対して相対的にズレることはない。
【０００８】
また、本願の別の発明に係るキャビネット構造では、サイドパネルの下端部に、上面がサイドパネルから離間するにつれて上方に傾斜する突出部を形成すると共に、ベースパネルの下面側の側部、該ベースパネルから離間するにつれて下方に傾斜する当接部を形成し、この当接部を突出部の上面に当接させたもとで、ベースパネルとサイドパネルとをボルトを介して固定している。従って、ベースパネルに載置した物の重量を、サイドパネルの突出部とベースパネルの当接部とで受けるようにしているから、ボルトに過度の負荷が掛かるのは防止され、該ボルトが変形することはない。更に、ボルトの締付けが不足する場合であってもベースパネルがサイドパネルに対して相対的にズレることはない。また、前記突出部と当接部に所要の傾斜角度を設けたから、該突出部および当接部に作用した力により、ベースパネルとサイドパネルとが相互に近接する方向に移動するため、ボルトに掛かる負荷をより軽減することができる。更に、前記ベースパネルを突出部で支持するため、該ベースパネルのネジ孔とサイドパネルの通孔とを容易に位置決めすることができ、組付け作業を容易にし得る利点がある。
【０００９】
また、サイドパネルの上端部に、下面がサイドパネルから離間するにつれて下方に傾斜する第２の突出部を形成すると共に、トップパネルに、該トップパネルから離間するにつれて上方に傾斜する第２の当接部を形成し、この第２の当接部を第２の突出部の下面に当接させたもとで、トップパネルとサイドパネルとをボルトを介して固定することで、前述したと同様に、ボルトに係る負荷を軽減し得る。なお、天井面に吊下げるよう構成した場合には、特にベースパネルやトップパネルと、サイドパネルとを接続するボルトに掛かる負荷が増大することから、本発明に係るキャビネット構造を好適に採用し得る。
【発明を実施するための最良の形態】
【００１０】
次に、本発明に係るキャビネット構造につき、好適な実施例を挙げて、添付図面を参照しながら以下説明する。なお、本実施例では、本発明に係るキャビネット構造を、天井吊下げ型の収納棚に実施する場合を例にして説明する。
【実施例】
【００１１】
図１に示すように、実施例の収納棚１０は、略水平に設置されて底面をなすベースパネル１２と、該ベースパネル１２と略平行に延在し、該収納棚１０の上面をなすトップパネル３４と、ベースパネル１２およびトップパネル３４の左右の両側端面に固定されるサイドパネル４２,４２と、これら各パネル１２,３４,４２４２の後端面に固定されるリアパネル７２とから前方に開口して内部に収納空間１０ａが画成された矩形箱状に形成される。なお、前記収納棚１０は、左右のサイドパネル４２,４２の上端面５８,５８に形成した固定孔５８ａ,５８ａを介して、図示しない天井面に吊下げ固定されている。なお、前記収納棚１０の前方開口は、前記ベースパネル１２およびトップパネル３４の前端部側に形成したレール部１２ａ(ベースパネル１２のレール部１２ａのみ図示)に摺動自在に配置されたスライド扉(図示せず)により、開閉可能に構成されている。
【００１２】
ここで、前記ベースパネル１２は、図２に示すように、前記収納空間１０ａ側に位置する第１のインテリアパネル１４と、該インテリアパネル１４から所要距離離間して位置する第１のエクステリアパネル１８とからなり、これら第１のインテリアパネル１４およびエクステリアパネル１８の間に配置した第１および第２補強フレーム２０,２０,３２,３２により、所定の強度を保持するよう構成されている。なお、前記第１のインテリアパネル１４の前端部側に、前記レール部１２ａが形成されると共に、左右両端部に、下方に向けて延出する第１フランジ１６(右端部に形成した第１フランジ１６のみ図示)が形成されており、該第１フランジ１６における前後方向に所定間隔離間する３箇所に、左右方向に貫通する通孔１６ａを夫々穿設してある。
【００１３】
前記第１補強フレーム２０は、前記第１のエクステリアパネル１８と対向する下板２２と、該下板２２の一方の側縁から上方に向けて延出し、前記第１のインテリアパネル１４の第１フランジ１６に内側から当接する外板２４と、当該下板２２の他方の側縁から上方に向けて延出する内板２６とから、前後方向および上方に開放する断面略コ字状に形成されて、前記ベースパネル１２の左右両端部に夫々配置されている。なお、前記内板２６の上端縁からは、外板２４から離間する方向に略水平に延在する延出片２７が形成されて、該延出片２７が前記第１のインテリアパネル１４の下面に当接するよう構成される。また、図２または図３に示すように、前記外板２４には、前記第１フランジ１６に形成した通孔１６ａ,１６ａ,１６ａと整列する位置に、左右方向に貫通する２４ａ,２４ａ,２４ａが穿設されると共に、該外板２４における前記内板２６と対向する面に、ネジ孔２８ａ,２８ａ,２８ａ(図３参照)を有するナット２８,２８,２８が各通孔２４ａ,２４ａ,２４ａと対応するよう固定してある。
【００１４】
そして、図２または図３に示すように、前記第１補強フレーム２０の下板２２と外板２４との連接部位には、該第１補強フレーム２０の内側(上側)に向けて凹むと共に、前後方向の略全長に亘って延在する段差部３０が形成されている。ここで、前記段差部３０における前記外板２４に連接する下面は、外側に向かうにつれて下方に傾斜する傾斜面(当接部)３０ａとされる。なお、前記ベースパネル１２を組付けた際に、前記第１補強フレーム２０の傾斜面３０ａが、前記第１のエクステリアパネル１８の側端部１８ａより外側に位置するよう構成されている。すなわち、前記傾斜面３０ａは、前記ベースパネル１２における下面側の側部に、該ベースパネル１２から離間するにつれて(側端面に向かうにつれて)下方に傾斜するよう形成してある。
【００１５】
なお、前記トップパネル３４の構成は、前記ベースパネル１２の構成と基本的に同一で、該ベースパネル１２の構成と略上下対称となっており、同一の機能を有する部材には同一の符号を付して詳細な説明は省略する。すなわち、前記トップパネル３４は図７に示すように、前記収納空間１０ａ側に位置する第２のインテリアパネル３６と、該第２のインテリアパネル３６から所要距離離間して位置する第２のエクステリアパネル４０とから構成され、これら第２のインテリアパネル３６およびエクステリアパネル４０の間に配置されて、前後方向および下方に開口する第１および第２補強フレーム２０,２０,３２,３２により、所要の強度を保持している。また、前記第２のインテリアパネル３６の左右両端部には、上方に向けて延在する第２フランジ３８(右側の第２フランジ３８のみ図示)が形成されており、この第２フランジ部３８における前後方向に所定間隔離間する３箇所に、通孔３８ａが夫々形成されて、前記各第１補強フレーム２０の通孔２４ａ,２４ａ,２４ａとナット２８,２８,２８のネジ孔２８ａ,２８ａ,２８ａが左右方向に整列するよう構成してある。但し、前記トップパネル３４の第１補強フレーム２０,２０には、前記傾斜面３０ａは形成されていない。
【００１６】
また、前記サイドパネル４２は、図４に示すように、前記収納空間１０ａ側に位置する第３のインテリアパネル４４と、該第３のインテリアパネル４４から所要距離離間して位置する第３のエクステリアパネル５６とからなり、これら第３のインテリアパネル４４およびエクステリアパネル５６の間に、上下に離間する位置に第３補強フレーム６２,６２を配置して、所要の強度を保持するよう構成されている。ここで、前記第３のエクステリアパネル５６は、前記収納空間１０ａ側に開放する矩形箱状に形成され、該第３のエクステリアパネル５６における上下の端部に、前記ベースパネル１２の通孔１６ａ,１６ａ,１６ａおよびトップパネル３４の通孔３８ａ,３８ａ,３８ａと左右方向に整列する通孔５６ａ,５６ａ,５６ａが夫々形成されている。なお、前記第３のエクステリアパネル５６の上端面５８に、収納棚１０を天井面に固定するための前記固定孔５８ａを穿設してある。
【００１７】
前記第３のインテリアパネル４４は、前記第３のエクステリアパネル５６の開口領域に略整合する矩形状に形成されると共に、その上下の端部に、該第３のエクステリアパネル５６の各通孔５６ａと左右方向に整列する位置に通孔４４ａが夫々形成される。また、前記第３のインテリアパネル４４における上下の端部には、収納棚１０の外側(第３のエクステリアパネル５６側)に向けて延在する第３フランジ４６,４６が形成されると共に、該第３のインテリアパネル４４の前端縁には、収納棚１０の内側に向けて延在する位置決め片４８が形成されている。
【００１８】
ここで、図４または図５に示すように、前記第３のインテリアパネル４４における下端部には、前記第３のエクステリアパネル５６から離間する方向(収納空間１０ａ側の方向)に、断面略コ字状に突出するよう突出部５０を折り曲げ形成してある。前記突出部５０の上面５２は、前記第３のインテリアパネル４４(サイドパネル４２)から離間するにつれて所定角度で上方に傾斜するよう形成されると共に、該突出部５０の傾斜角度と前記ベースパネル１２に形成した段差部３０の傾斜面３０ａの傾斜角度とが略合致するよう設定されている。すなわち、前記サイドパネル４２,４２を鉛直方向に延在するよう天井面に取付け、かつ前記突出部５０の上面５２と前記段差部３０の傾斜面３０ａとを当接させることで、前記ベースパネル１２が略水平に位置するようになっている。また、前記第３のインテリアパネル４４からの前記突出部５０の突出長さ寸法は、前記ベースパネル１２の側端部(第１フランジ１６)から第１のエクステリアパネル１８の側端部までの離間寸法より短く設定され、前記ベースパネル１２の側端部(第１フランジ１６)が、サイドパネル４２,４２の内側面(第３のインテリアパネル４４,４４)に隙間なく当接するよう構成される。なお、前記突出部５０の下面５４は、図５に示すように、前記第３補強フレーム６２の下板６８における第３のエクステリアパネル５６側の端縁と一致する位置まで延在している。
【００１９】
前記第３のインテリアパネル４４および第３のエクステリアパネル５６の間に配設される前記上下の第３補強フレーム６２,６２の構成は上下対称であるので、下側の第３補強フレーム６２の構成に関して説明し、上側の補強フレーム６２の同一の部材には同じ符号を付して示す。すなわち、第３の補強フレーム６２は、図４または図５に示すように、該第３のインテリアパネル４４に当接し前後方向に延在する側板６４と、該側板６４の上下の端縁から第３のエクステリアパネル５６側に延出する上下の板６６,６８と、該上板６６の端縁から上方に向けて延出し、第３のエクステリアパネル５６に当接する延出片７０(上側の第３補強フレーム６２の延出片７０は、下板６８から下方に向けて延出する)とから構成されている。ここで、下側の第３補強フレーム６２における前記下板６８は、前記第３のインテリアパネル４４に形成した前記突出部５０の下面５４と略整合する大きさに形成されて、該突出部５０の下面５４と下板６８とをスポット溶接やリベット等により固定するようになっている。なお、前記側板６４には、第３のインテリアパネル４４および第３のエクステリアパネル５６に形成した各通孔４４ａ,５６ａと左右方向に整列する位置に通孔６４ａ,６４ａ,６４ａが夫々穿設されている。
【００２０】
また、前記ベースパネル１２に形成した前記段差部３０の傾斜面３０ａを、前記サイドパネル４２の突出部５０における上面５２に当接させると共に、該ベースパネル１２の前端面を前記位置決め片４８に当接させることで、ベースパネル１２に形成した各通孔１６ａ,２４ａおよびネジ孔２８ａと、サイドパネル４２の下端部に形成した各通孔４４ａ,５６ａ,６４ａとが夫々左右方向に整列するよう構成されており、該サイドパネル４２の各通孔４４ａ,５６ａ,６４ａに挿通したボルト７４を、ワッシャ７５を介在させたもとで対応するベースパネル１２のネジ孔２８ａに螺挿して、両パネル１２,４２を固定している(図６参照)。なお、このサイドパネル４２に形成される各通孔４４ａ,５６ａ,６４ａは、前記ベースパネル１２に設けたナット２８のネジ孔２８ａより大径に形成されて、これら各通孔４４ａ,５６ａ,６４ａに挿通したボルト７４を対応するネジ孔２８ａに容易に螺挿し得るようになっている。
【００２１】
ここで、前記ベースパネル１２とサイドパネル４２とを固定した際に、該ベースパネル１２の下面(すなわち第１のエクステリアパネル１８)と、サイドパネル４２(第３のエクステリアパネル５６)の下端面６０とが略同一平面上に位置するようになっている。なお、前記トップパネル３４とサイドパネル４２とは、サイドパネル４２の上端部に形成した各通孔４４ａ,５６ａ,６４ａに挿通したボルト７４を、トップパネル３４の対応する通孔２４ａ,３８ａおよびネジ孔２８ａに螺挿することで固定される。
【００２２】
〔実施例の作用〕
次に、前述した実施例に係るキャビネット構造の作用について説明する。
【００２３】
実施例に係る収納棚１０は、前記ベースパネル１２の下面側の側部に形成した傾斜面３０ａを、前記各サイドパネル４２の下端部に形成した突出部５０の上面５２に夫々当接させたもとで、両パネル１２,４２をボルト７４で固定している。すなわち、前記ベースパネル１２上に載置した食器類等の重量を、前記ベースパネル１２と突出部５０とで受け、前記ボルト７４に過度の負荷が掛かるのを防止し得る。このため、前記ボルト７４に、伸びや折れ曲がりといった変形が生じないから、前記ボルト７４を簡単に取外してベースパネル１２とサイドパネル４２とを分解することができる。また、前記突出部５０の下面５４を前記第３補強フレーム６２および第３のエクステリアパネル５６の夫々に固定している。このため、前記突出部５０の強度が向上し、該突出部５０に負荷が掛かった場合に突出部５０が容易に変形することはなく、より確実にベースパネル１２を支持することができる。
【００２４】
また、前記傾斜面３０ａを前記突出部５０の上面５２に当接させると共に、前記ベースパネル１２の前端面をサイドパネル４２の位置決め片４８に当接させることで、ベースパネル１２に形成した各通孔１６ａ,２４ａおよびナット２８のネジ孔２８ａと、各サイドパネル４２に形成した各通孔４４ａ,５６ａ,６４ａとを左右方向に整合させ得るから、両パネル１２,４２の組付け作業性が向上され、短時間で組付け作業を行なうことが可能となる。ここで、前記サイドパネル４２に形成される各通孔４４ａ,５６ａ,６４ａを、ベースパネル１２に形成される各ネジ孔２８ａの夫々より大径に設定して、前記ボルト７４を通孔４４ａ,５６ａ,６４ａに挿通し易いよう構成してある。この場合に、前記ボルト７４の締付けが不足すると、前記ベースパネル１２の位置が下がる畏れが指摘されるが、前述したように、ベースパネル１２の傾斜面３０ａをサイドパネル４２の突出部５０に当接させているから、当該ベースパネル１２の位置が下がるのは防止され、両パネル１２,４２の間に段差が生ずることはなく、良好な見栄えを保持し得る利点がある。
【００２５】
ところで、前記傾斜面３０ａは、ベースパネル１２から離間するにつれて下方に傾斜するよう形成されると共に、前記突出部５０の上面５２は、前記サイドパネル４２から離間するにつれて上方に傾斜するよう形成されている。このため、前記ベースパネル１２およびサイドパネル４２をボルト７４で固定した状態で、該ベースパネル１２に食器類等を載置すると、前記突出部５０(サイドパネル４２)には、図８に示す矢線Ｆ1方向に力が作用すると共に、前記傾斜面３０ａ(ベースパネル１２)には、図８に示す矢線Ｆ2方向に力が作用することとなる。すなわち、前記ベースパネル１２およびサイドパネル４２の夫々には、傾斜面３０ａを突出部５０の上面５２に当接させることで相互に近接する方向に移動する力が作用するため、両パネル１２,４２をより強固に固定し得ると共に、前記ボルト７４を破断する方向(すなわちボルトに直交する上下および左右方向)に係る負荷を軽減し得るから、より確実にボルト７４の変形を抑制することができる。
【００２６】
〔実施例の変更例〕
なお、本発明に係るキャビネット構造としては、前述した実施例のものに限られるものではなく、種々の変更が可能である。例えば、実施例では、サイドパネルのインテリアパネルを折り曲げ形成して前記突出部を形成するようにしたが、図９に示すように、サイドパネルに７６におけるインテリアパネル７８を平板状に形成し、このインテリアパネル７８(サイドパネル７６)の下端部に、上面８０ａをサイドパネル７６から離間するにつれて上方に傾斜するよう別部品として形成した突出部８０を固定するようにしてもよい。更に、突出部の形状としては、実施例のように前後方向に所定長さで延在するものに限らず、図１０に示すように、前後方向に離間するよう複数の突出部８２,８２,８２を配設し、夫々の突出部８２の上面８２ａをサイドパネル７６から離間するにつれて上方に傾斜するよう形成することも可能である。この場合には、ベースパネル１２に、各突出部８２と整合し、該突出部８２を挿入可能な凹部(図示せず)を形成し、この凹部に当接部を設けるようにしてもよい。
【００２７】
また、実施例では、サイドパネルの下端部に突出部を形成し、ベースパネルに該突出部と整合する当接部を形成するようにしたが、図１１に示すように、サイドパネル４２の上端部に第２の突出部５０を形成し、トップパネル３４に該第２の突出部５０に当接する第２の傾斜面(第２の当接部)３０ａを形成するようにしてもよい。この場合には、前記第２の突出部５０の下面５４を、サイドパネル４２から離間するにつれて下方に傾斜するよう形成すると共に、前記第２の傾斜面３０ａをトップパネル３４から離間するにつれて(トップパネル３４の側端面に向かうにつれて)上方に傾斜するよう形成(すなわち、実施例とは上下対称の構成)すればよい。なお、前記第２の傾斜面３０ａは、前記第２のエクステリアパネル４０の側端部４０ａより外側に位置するよう構成されている。すなわち、前記第２の傾斜面３０ａは、前記トップパネル３４における上面側の側部に、該トップパネル３４から離間するにつれて(側端面に向かうにつれて)後方に傾斜するよう形成してある。この場合には、トップパネル３４を天井面に固定した際の収納棚１０の重量を、第２の突出部５０および第２の傾斜面３０ａで受けることができ、前述した実施例と同様の作用効果を得られる利点がある。なお、図９〜図１１において、実施例と同一の機能を有する部材には同一の符号を付してある。
【００２８】
なお、実施例では、本発明に係るキャビネット構造を天井吊下げ型の収納棚に実施した場合で説明したが、これに限られるものではなく、床面載置型の収納棚であってもよく、箱状のものであれば、冷蔵庫や冷凍庫等にも実施可能である。ここで、床面載置型の収納棚等に本発明に係るキャビネット構造を実施するに際し、該収納棚等の脚をサイドパネルの下端部に形成した場合には実施例と同様の構成を採用すればよく、一方ベースパネル側に脚を形成した場合には、サイドパネルから離間するにつれて下方に傾斜するよう突出部を形成し、前記当接部をベースパネルから離間するにつれて(ベースパネルの側端面に向かうにつれて)上方に傾斜するよう形成することで、ベースパネルおよびサイドパネルが相互に近接する方向に移動させることができ、実施例と同様の作用効果を得られる。
【図面の簡単な説明】
【００２９】
【図１】本発明の実施例に係る収納棚を示す概略斜視図である。
【図２】実施例に係る収納棚のベースパネルを示す分解斜視図である。
【図３】実施例に係るベースパネルの要部断面図である。
【図４】実施例に係る収納棚のサイドパネルを示す分解斜視図である。
【図５】実施例に係るサイドパネルの要部断面図である。
【図６】実施例に係るベースパネルとサイドパネルとを固定した状態を示す要部断面図である。
【図７】実施例に係るトップパネルとサイドパネルとを固定した状態を示す要部断面図である。
【図８】実施例に係るベースパネルとサイドパネルとを固定した状態を示す要部断面図であって、両パネルに作用する力を示す。
【図９】変更例に係るサイドパネルと突出部を示す縦断面図である。
【図１０】変更例に係るサイドパネルと突出部を示す斜視図である。
【図１１】変更例に係るトップパネルとサイドパネルとを固定した状態を示す要部断面図である。
【符号の説明】
【００３０】
１２ ベースパネル，２８ａ ネジ孔，３０ａ傾斜面(当接部)，３４ トップパネル
４２ サイドパネル，４４ａ 通孔，５０ 突出部，５２ 上面，５４ 下面
５６ａ 通孔，６４ａ 通孔，７４ ボルト，７６ サイドパネル，８０ 突出部
８０ａ 上面，８２ 突出部，８２ａ 上面
【図１】
2005230355.tif 000003
【図２】
2005230355.tif 000004
【図３】
2005230355.tif 000005
【図４】
2005230355.tif 000006
【図５】
2005230355.tif 000007
【図６】
2005230355.tif 000008
【図７】
2005230355.tif 000009
【図８】
2005230355.tif 000010
【図９】
2005230355.tif 000011
【図１０】
2005230355.tif 000012
【図１１】
2005230355.tif 000013